(57)【要約】【課題】コードレス電話の子機を用いて通話を行う場合に、子機だけで使用回線種別が一般電話回線網経由かデジタル通信網経由かを明示可能にし、通話の利便性を向上させる。【解決手段】無線子機２には、デジタル通信網４経由の通話か、一般電話回線網３経由の電話かを通話装置親機１に指示する専用ボタン１０を設けると共に、デジタル通信網４経由の着信若しくは通話である場合に点灯する発光手段９を設ける。これにより、コードレス電話の子機として無線子機２を用いて通話を行う場合に、子機だけで使用回線種別が一般電話回線網経由かデジタル通信網経由かを明示することができ、通話の利便性を向上させることが可能となる。【選択図】　図１
2004032183.tif 000002
【特許請求の範囲】
【請求項１】
一般回線網とデジタル通信網を選択的に使用して通話できる親機と、この親機と無線で接続される子機とを有する通話装置であって、
前記子機は、前記一般回線網と前記デジタル通信網のいずれを使用するかを前記親機に指示する指示手段と、前記指示手段により指示された回線種別を明示する回線種別明示手段とを備えたことを特徴とする通話装置。
【請求項２】
一般回線網とデジタル通信網を選択的に使用して通話できる親機と、この親機と無線で接続される子機とを有する通話装置であって、
前記親機は、前記親機に着信があった時にこの着信が前記一般回線網経由か、前記デジタル通信網経由のいずれであるかを子機に知らせる回線種別通知手段を備え、
前記子機は、前記回線種別通知手段により通知された回線種別を明示する回線種別明示手段を備えたことを特徴とする通話装置。
【請求項３】
前記回線種別明示手段は、発光手段であり、この発光手段の点灯、非点灯により回線種別を明示することを特徴とする請求項１または２に記載の通話装置。
【請求項４】
前記回線種別明示手段は、発光手段であり、この発光手段の点灯色を変えることにより回線種別を明示することを特徴とする請求項１または２に記載の通話装置。
【請求項５】
前記デジタル通信網は、ＩＰパケットを使用して音声データを伝送するものであることを特徴とする請求項１乃至４のいずれかに記載の通話装置。
【請求項６】
前記デジタル通信網は、ＡＴＭのセルを使用して音声データを伝送するものであることを特徴とする請求項１乃至４のいずれかに記載の通話装置。
【請求項７】
前記指示手段は、専用の操作ボタンであることを特徴とする請求項１に記載の通話装置。
【請求項８】
前記回線種別通知手段は、着信時及びその後の通話中も回線種別を明示することを特徴とする請求項２に記載の通話装置。
【請求項９】
一般回線網とデジタル通信網を選択的に使用して通話できる親機と、この親機と無線で接続される子機とを有する通話装置における通話方法であって、
前記子機において、一般回線網とデジタル通信網のいずれを使用するかを前記親機に指示する指示ステップと、前記指示された回線種別を明示する回線種別明示ステップとを有することを特徴とする通話方法。
【請求項１０】
一般回線網とデジタル通信網を選択的に使用して通話できる親機と、この親機と無線で接続される子機とを有する通話装置における通話方法であって、
前記親機において、着信があった時にこの着信が一般回線網経由か、デジタル通信網経由のいずれであるかを子機に知らせる回線種別通知ステップを有し、
前記子機において、前記親機より通知された回線種別を明示する回線種別明示ステップを有することを特徴とする通話方法。
【発明の詳細な説明】
【０００１】
【発明の属する技術分野】
本発明は、デジタル通信網のＩＰパケットやＡＴＭのセル等に音声をデジタル情報として乗せて伝送することによって音声通話を行う通話装置及び通話方法に関する。
【０００２】
【従来の技術】
近年、デジタル通信網でＩＰパケットに音声をデジタル情報として乗せて伝送することで音声通話を行う、所謂インターネット電話やＩＰ電話と呼ばれる技術が実現されている（特開平９−１６８０６４号公報など）。さらに、ＡＴＭ通信網を対象としてＡＴＭのセルに音声データを乗せて伝送することで電話サービスを提供する技術も実現されている。
【０００３】
このようなＩＰ電話（インターネット電話）の使用方法としては、ＩＰ電話を使用するための専用端末に既存の電話機に接続し、専用端末が電話機の発信番号の１桁目を監視して、一般電話回線網経由か或いは、デジタル通信網経由かを設定することによって回線網の切り替えを行う構成としている（特開平１１−２７５２５６号公報）。
【０００４】
また、上記の電話サービスでの通話を家庭内で無線で利用するには、既存の電話機にコードレス電話機を使用することで実現可能であった。
【０００５】
【発明が解決しようとする課題】
しかしながら、従来のＩＰ電話を家庭内において無線で利用する際には、既存のコードレス電話機の子機を使用するため、着信時や通話中に一般電話回線網経由かデジタル通信網経由かを知る手段が子機に無く、これらの情報を知るには専用端末の設置場所まで行き、専用端末に装備された発光手段等により確認しなければならなかった。
【０００６】
本発明は、上記事情に鑑みてなされたもので、その目的は、コードレス電話の子機を用いて通話を行う場合に、子機で使用回線種別が一般電話回線網経由かデジタル通信網経由かを明示することができ、通話の利便性を向上させることができる通話装置及び通話方法を提供することにある。
【０００７】
【課題を解決するための手段】
本発明に係る通話装置は、一般回線網とデジタル通信網を選択的に使用して通話できる親機と、この親機と無線で接続される子機とを有する通話装置であって、前記子機は、前記一般回線網と前記デジタル通信網のいずれを使用するかを前記親機に指示する指示手段と、前記指示手段により指示された回線種別を明示する回線種別明示手段とを備えたことを特徴とする。
【０００８】
上記構成では、子機を用いて通話する際に、一般回線網とデジタル通信網のいずれを使用するかを親機に指示すると共に、指示された回線種別を明示する。これにより、子機において使用回線種別が明示されるため、通話者がいずれの回線網を使用しているかを専用端末のところに出向かなくても直ちに知ることができ、通話時の利便性が向上する。
【０００９】
本発明に係る通話装置は、一般回線網とデジタル通信網を選択的に使用して通話できる親機と、この親機と無線で接続される子機とを有する通話装置であって、前記親機は、前記親機に着信があった時にこの着信が前記一般回線網経由か、前記デジタル通信網経由のいずれであるかを子機に知らせる回線種別通知手段を備え、前記子機は、前記回線種別通知手段により通知された回線種別を明示する回線種別明示手段を備えたことを特徴とする。
【００１０】
上記構成では、親機に着信があった時にこの着信が一般回線網経由か、デジタル通信網経由のいずれであるかを子機に知らせる。子機は前記通知された回線種別を明示する。これにより、子機において使用回線種別が明示されるため、通話者がいずれの回線網を使用しているかを専用端末のところに出向かなくても直ちに知ることができ、通話時の利便性が向上する。
【００１１】
また、前記回線種別明示手段は、発光手段であり、この発光手段の点灯、非点灯により回線種別を明示することを特徴とする。
【００１２】
上記構成では、例えば使用される回線種別がデジタル通信網の場合、ＬＥＤ等の発光手段を点灯する。これにより、発光手段の点灯、非点灯によって回線種別を直ちに知ることが可能となる。
【００１３】
また、前記回線種別明示手段は、発光手段であり、この発光手段の点灯色を変えることにより回線種別を明示することを特徴とする。
【００１４】
上記構成では、例えば使用される回線種別がデジタル通信網の場合、２色ＬＥＤ等の発光手段の点灯色を赤から緑に変化させる。これにより、発光手段の点灯色によって回線種別を直ちに知ることが可能となる。
【００１５】
また、前記デジタル通信網は、ＩＰパケットを使用して音声データを伝送するものであることを特徴とする。あるいは、前記デジタル通信網は、ＡＴＭのセルを使用して音声データを伝送するものであることを特徴とする。
【００１６】
上記構成では、音声データはＩＰパケットまたはＡＴＭのセルに乗せられてデジタル通信網を伝達される。このようにＩＰパケットまたはＡＴＭのセルを使用することによって、所謂インターネット電話を実現することが可能となる。
【００１７】
また、前記指示手段は、専用の操作ボタンであることを特徴とする。この構成により、例えば相手先の電話番号を入力する前に専用の操作ボタンを押すと、デジタル通信網を使用することが指示される。このように専用の操作ボタンを用いることで、使用する回線種別の指示を簡単に行うことが可能となる。
【００１８】
また、前記回線種別通知手段は、着信時及びその後の通話中も回線種別を明示することを特徴とする。
【００１９】
上記構成では、例えばデジタル通信網からの着信があると、これを知らせるために例えばＬＥＤの点灯を行い、その後、通話がなされると、通話中ＬＥＤの点灯を持続する。これにより、親機に着信した電話を子機で受けた場合、オフフックする前に使用回線種別を知ることができると共に、通話中も使用回線種別を知ることができる。
【００２０】
本発明に係る通話方法は、一般回線網とデジタル通信網を選択的に使用して通話できる親機と、この親機と無線で接続される子機とを有する通話装置における通話方法であって、前記子機において、一般回線網とデジタル通信網のいずれを使用するかを前記親機に指示する指示ステップと、前記指示された回線種別を明示する回線種別明示ステップとを有することを特徴とする。
【００２１】
上記手順によって、前記子機を用いて通話相手先に電話をかける場合、一般回線網とデジタル通信網のいずれを使用するかを親機に指示し、これと共に前記指示した回線種別を明示する。これにより、子機において使用回線種別が明示されるため、通話者がいずれの回線網を使用しているかを専用端末のところに出向かなくても直ちに知ることができ、通話時の利便性が向上する。
【００２２】
本発明に係る通話方法は、一般回線網とデジタル通信網を選択的に使用して通話できる親機と、この親機と無線で接続される子機とを有する通話装置における通話方法であって、前記親機において、着信があった時にこの着信が一般回線網経由か、デジタル通信網経由のいずれであるかを子機に知らせる回線種別通知ステップを有し、前記子機において、前記親機より通知された回線種別を明示する回線種別明示ステップを有することを特徴とする。
【００２３】
上記手順によって、親機に着信があった時にこの着信が一般回線網経由か、デジタル通信網経由のいずれであるかを子機に知らせる。子機は、前記親機より通知された回線種別を明示する。これにより、子機において使用回線種別が明示されるため、通話者がいずれの回線網を使用しているかを専用端末のところに出向かなくても直ちに知ることができ、通話時の利便性が向上する。
【００２４】
【発明の実施の形態】
以下、図面を参照して本発明の実施形態を説明する。
図１は本発明の第１実施形態に係る通話装置の構成例を示したブロック図である。
【００２５】
本実施形態の通話装置は、通話装置親機１と無線子機２とを有して成り、ここでは、通話装置親機１は一般電話回線網３とＩＰパケットを対象としたデジタル通信網４に接続され、無線子機２は専用ボタン１０と発光手段９をそれぞれ１個ずつ備えた場合について説明する。
【００２６】
通話装置親機１は、一般電話回線網３と通信をするための一般回線通信手段５、ＩＰパケットを利用したデジタル通信網４との通信をするためのデジタル通信手段６、それぞれの網からの音声を無線子機呼出手段８に渡すための音声送受信手段７、音声送受信手段７で終端された音声データを無線子機２にわたす無線子機呼出手段８とを有している。ここで、デジタル通信手段６の物理的通信方法としてはモデム、ＩＳＤＮ回線、ＣＡＴＶ、光ファイバーやイーサネット（登録商標）等が例としてあげられる。
【００２７】
無線子機２は、コードレス電話子機としての必要機能であるメインＣＰＵ２０を中心に、通話相手の呼出番号を入力する呼出番号入力手段２２、入力した呼出番号を表示したり、通話相手の呼出番号を表示する表示手段２１、無線で通話装置親機１と通信する無線通信手段２３、着信を知らせる着信音鳴動手段２６、利用者の声を受話するマイク２５と通話相手の声を送出するスピーカ２４、そして、デジタル通信網４経由からの着信及び通話中に点灯するＬＥＤ等の発光手段９、デジタル通信網４経由での発呼を行いたい際に押下する専用ボタン１０を有している。
【００２８】
なお、発光手段９はデジタル通信網４経由からの着信及び通話中に点灯するのではなく、一般電話回線網３からの着信及び通話中に点灯するとしてもよい。また、専用ボタン１０をデジタル通信網４経由での発呼を行いたい際に押下するのではなく、一般電話回線３経由で発呼を行いたい際に押下するとしてもよい。
【００２９】
図２は図１に示した通話装置を用いた場合の全体の通信システムを示した構成図である。通話装置の通話装置親機１は一般電話回線網３を介して通話相手先の電話端末１１に接続されるか、或いは、デジタル通信網４を介して通話相手先の電話端末１２に接続される。通話装置親機１と無線子機２は無線通信手段により接続される。
【００３０】
次に図１及び図２を用いて本実施形態の動作について説明する。電話端末１２はデジタル通信網４上の相手であるため、無線子機２に通話相手の電話端末１２の電話番号等の呼出番号を入力する前に、この無線子機２に備えられた専用ボタン１０を押下する。その後、呼出番号入力手段２２にて通話相手の電話端末１２の呼出番号を入力すると、メインＣＰＵ２０はその前に専用ボタン１０が押下されたことを検出してデジタル通信網４経由での通話であると判断し、発光手段９を点灯させると同時に無線通信手段２３により通話装置親機１の無線子機呼出手段８と無線回線接続する。その後、メインＣＰＵ２０は無線通信手段２３を介して通話装置親機１の無線子機呼出手段８に対してデジタル通信網４経由での発呼であること及び、通話先の呼出番号を通知する。
【００３１】
これを受けた無線子機呼出手段８はデジタル通信手段６に通知された呼出番号を通知し、電話端末１２への発呼を促す。デジタル通信手段６はデジタル通信網４を介して電話端末１２に発呼する。電話端末１２はデジタル通信網４を介して着信要求を受け、これに応答をすると電話端末１２と無線子機２間でデジタル通信網４経由のＩＰパケットを利用した通話が始まる。
【００３２】
電話端末１２からの音声データはデジタル通信網４を経由して通話装置親機１のデジタル通信手段６で受信される。受信された音声データは音声送受信手段７に渡され、その後、無線子機呼出手段８によって無線を通じて無線子機２に送信される。無線子機２の内部では無線通信手段２３により受信された音声データがメインＣＰＵ２０を介してスピーカ２４に送られる。
【００３３】
無線子機２からの音声データはマイク２５により受話された後はこの逆を辿り、メインＣＰＵ２０を介して無線通信手段２３から無線で無線子機呼出手段８に送信される。無線子機呼出手段８は受信した音声データをデジタル通信手段６からデジタル通信網４を介して電話端末１２に送信する。以降、無線子機２のメインＣＰＵ２０は通話終了まで発光手段９を点灯し続ける。無線子機２での通話者は、この発光手段９の点灯をチェックすることで、デジタル通信網４経由での通話であることを確認できる。
【００３４】
次に、デジタル通信網４からの着信について説明する。通話相手先の電話端末１２の発呼動作により着信要求を受信した通話装置親機１のデジタル通信手段６は無線子機呼出手段８に対してデジタル通信網４からの着信があることを通知する。通知を受けた無線子機呼出手段８は無線子機２に対してデジタル通信網４経由であるという情報を含めた着信を要求する。無線子機２のメインＣＰＵ２０はデジタル通信網４からの着信要求を無線通信手段２３を介して受信すると、発光手段９を点灯させると共に、着信音鳴動手段２６を鳴動させて通話者に着信を知らせる。
【００３５】
通話者がオフフックして応答すると、無線子機２と電話端末１２間のＩＰパケットを利用したデジタル通信網４経由の通話が上記と同様に行われるが、以降、通話が終了するまで、メインＣＰＵ２０は発光手段９を点灯しつづける。この場合、通話者が無線子機２により応答する前に発光手段９が点灯しているため、応答前に点灯を確認して、デジタル通信網４経由での着信であることを知ることができる。又、通話中も発光手段９を点灯しつづけるので、デジタル通信網４経由での通話であることを確認できる。
【００３６】
次に一般電話回線網３を用いた通話動作について説明する。電話端末１１は一般電話回線網３上の相手先であるため、専用ボタン１０を押すことなく、無線子機２に備えられた呼出番号入力手段２２にて電話端末１１の呼出番号を入力する。メインＣＰＵ２０は専用ボタン１０が押下されなかったので一般電話回線網３経由での通話であると判断し、発光手段９を点灯させることなく、無線通信手段２３を介して通話装置親機１の無線子機呼出手段８に対して一般電話回線網３経由での発呼であること及び、通話先の呼出番号を通知する。
【００３７】
これを受けた無線子機呼出手段８は一般電話回線網通信手段５に呼出番号を通知し、電話端末１１へ発呼を促す。一般電話回線網通信手段５は一般電話回線網３経由で電話端末１１へ発呼する。これにより電話端末１１に一般電話回線網３を介して着信要求がされるが、相手先が応答をすると電話端末１１と無線子機２間で一般電話回線網３経由の通話が始まる。電話端末１１からの音声データは一般電話回線網３を経由して一般回線通信手段５で受信され、これが音声送受信手段７に渡される。音声送受信手段７は受信した音声データを無線子機呼出手段８から無線により無線子機２に送信する。
【００３８】
無線子機２の無線通信手段２３により受信された音声データはメインＣＰＵ２０を介してスピーカ２４に送られる。無線子機２からの音声データはマイク２５により受話された後は、上記と逆の経路を経て通話装置親機１に送信され、更に通話装置親機１から一般電話回線網３を介して電話端末１１に送信される。無線子機２の発光手段９が消灯しているため、通話者は無線子機２での発光手段９の消灯をチェックすることで、一般電話回線網３経由での通話であることが確認できる。一般電話回線網３からの着信についても同様で、着信時及び通話中に発光手段９が消灯しているため、通話者は一般電話回線網３経由での通話であることが確認できる。
【００３９】
本実施形態によれば、無線子機２から通話相手の電話番号を入力してデジタル通信網４を介して通話相手の電話端末１２と通話する場合、前記電話番号の入力の前に専用ボタン１０を押すことにより、デジタル通信網４経由の通話であることを通話装置親機１に知らせてデジタル通信網４経由での通話を行うことができると共に、専用ボタン１０が押された以降は発光手段９が発光するため、通話者は専用端末のところに出向くことなく、容易にデジタル通信網４経由の通話であることを確認することができる。
【００４０】
また、デジタル通信網４経由の着信が通話装置親機１にあると、デジタル通信網４経由の着信であることを示す情報を無線子機２に知らせるため、これ以降通話が終了するまで無線子機２の発光手段９が点灯するため、通話者は無線子機２をオフフックする前からデジタル通信網４経由の着信であることを知ることができ且つ、通話中もデジタル通信網４経由の通話であることを容易に確認することができる。
【００４１】
なお、上記実施形態では、デジタル通信網４経由の通話の時に発光手段９を点灯させて、デジタル通信網４経由での通話か、一般電話回線網３での通話かを確認できるようにしていたが、発光手段９を２色発光できるＬＥＤ等にして、デジタル通信網４の時は緑で発光し、一般電話回線網３の時は赤で発光するなどし、使用する回線網の違いにより発光手段９の点灯色を変えて両者を識別できるようにしても同様の効果がある。
【００４２】
図３は本発明の第２実施形態に係る通話装置の構成例を示したブロック図である。但し、図１に示した第１実施形態と同様の部分には同一符号を付して説明する。本例の通話装置は通話装置親機１９と無線子機１３とから成り、通話装置親機１９は一般電話回線網３とＡＴＭのセルを対象としたデジタル通信網１５に接続され、無線子機１３に専用ボタン１０と、発光部として発光手段１６と発光手段１７の２つ備えた場合について説明する。
【００４３】
通話装置親機１９は、前記に示した一般電話回線網３と通信をするための一般回線通信手段５、ＡＴＭのセルを利用したデジタル通信網１５との通信をするためのデジタル通信手段１４、それぞれの網からの音声を無線子機呼出手段８に渡すための音声送受信手段７、音声送受信手段７で終端された音声データを無線子機１３に渡す無線子機呼出手段８を有している。この場合のデジタル通信手段１４の物理的通信方法としてはＡＴＭのセルでの通信が一般的とされているＡＤＳＬモデムなどが例としてあげられる。
【００４４】
無線子機１３はコードレス電話子機としての必要機能であるメインＣＰＵ２７を中心に通話相手の呼出番号を入力するための呼出番号番号入力手段２２、入力した呼出番号を表示したり通話相手の呼出番号を表示するための表示手段２１、無線で通話装置親機１９と通信するための無線通信手段２３、着信を知らせる着信音鳴動手段２６、利用者の声を受話するマイク２５と通話相手の声を送出するスピーカ２４、そして、一般電話回線網３経由からの着信時及び通話中に点灯する発光手段１６、デジタル通信網１５経由からの着信時及び通話中に点灯する発光手段１７、デジタル通信網１５経由での発呼を行いたい際に押下する専用ボタン１０からなる。
【００４５】
なお、発光手段１６及び発光手段１７を無線子機１３に備えられた表示手段２１のバックライトなどと兼用することも可能である。また、専用ボタン１０をデジタル通信網１５経由での発呼を行いたい時に押下するのではなく、一般電話回線網３経由での発呼を行いたい時に押下するとしてもよい。
【００４６】
図４は第２実施形態における全体のシステム構成図である。通話装置の通話装置親機１９は一般電話回線網３を介して通話相手先の電話端末１１に接続され或いは、デジタル通信網１５を介して通話相手先の電話端末１８に接続される。通話装置親機１９と無線子機１３は無線で接続される。
【００４７】
次に図３及び図４を用いて本実施形態の動作について説明する。電話端末１８はデジタル通信網１５上の相手であるため、無線子機１３に通話相手の電話端末１８の電話番号等の呼出番号を入力する前に、無線子機１３に備えられた専用ボタン１０を押下する。その後、呼出番号入力手段２２にて通話相手の電話端末１８の呼出番号を入力すると、ＣＰＵ２７はその前に専用ボタン１０が押下されたことを検出してデジタル通信網１５経由での通話であると判断し、発光手段１７を点灯させると同時に無線通信手段２３により通話装置親機１９の無線子機呼出手段８と無線回線接続する。その後、メインＣＰＵ２７は無線通信手段２３を介して通話装置親機１９の無線子機呼出手段８に対してデジタル通信網１５経由での発呼であること及び、通話先の呼出番号を通知する。
【００４８】
これを受けた無線子機呼出手段８はデジタル通信手段１４に呼出番号を通知し、電話端末１８への発呼を促す。デジタル通信手段１４はデジタル通信網１５を介して電話端末１８に発呼する。電話端末１８はデジタル通信網１５を介して着信要求を受け、これに応答をすると電話端末１８と無線子機１３間でデジタル通信網１５経由のＡＴＭのセルでの通信による通話が始まる。
【００４９】
電話端末１８からの音声データはデジタル通信網１５を経由して通話装置親機１９のデジタル通信手段１４で受信される。受信された音声データは音声送受信手段７に渡され、その後、無線子機呼出手段８によって無線を通じて無線子機１３に送信される。無線子機１３の内部では無線通信手段２３により受信された音声データはメインＣＰＵ２７を介してスピーカ２４に送られる。
【００５０】
無線子機１３からの音声データはマイク２５により受話された後はこの逆を辿り、メインＣＰＵ２７を介して無線通信手段２３により無線で無線子機呼出手段８に送信される。無線子機呼出手段８は受信した音声データをデジタル通信手段１４からデジタル通信網１５を介して電話端末１８に送信する。以降、無線子機１３のメインＣＰＵ２７は通話終了まで発光手段１７を点灯し続ける。無線子機１３での通話者は、この発光手段１７の点灯をチェックすることで、デジタル通信網１５経由での通話であることを確認できる。
【００５１】
次に、デジタル通信網１５からの着信について説明する。通話相手先の電話端末１８の発呼動作により着信要求を受信した通話装置親機１９のデジタル通信手段１４は無線子機１３の無線子機呼出手段８に対してデジタル通信網１５からの着信があることを通知する。通知を受けた無線子機呼出手段８は無線子機１３に対してデジタル通信網１５経由であるという情報を含めた着信を要求する。無線子機１３のメインＣＰＵ２７はデジタル通信網１５からの着信要求を無線通信手段２３を介して受信すると、発光手段１７を点灯させると共に、着信音鳴動手段２６に鳴動させて通話者に着信を知らせる。
【００５２】
通話者がオフフックして応答すると、無線子機１３と電話端末１８間でのデジタル通信網１５経由のＡＴＭのセルでの通話が上記と同様に行われるが、以降、通話が終了するまで、メインＣＰＵ２７は発光手段１７を点灯しつづける。この場合、通話者が無線子機１３によって応答する前に発光手段１７が点灯しているため、応答前に点灯を確認して、デジタル通信網１５経由での着信であることを知ることができる。又、通話中も発光手段１７を点灯しつづけるので、デジタル通信網１５経由での通話であることを確認できる。
【００５３】
また、一般電話回線網３を用いた通話動作は図１に示した第１実施形態とほぼ同様である。異なる点は、無線子機１３の専用ボタン１０を押下せずに相手先の電話番号を入力するため、メインＣＰＵ２７は発光手段１６を点灯させて、一般電話回線網３経由の通話であることを明示する。同様に、一般電話回線網３経由の着信があると、メインＣＰＵ２７は発光手段１６を着信時に点灯させると共に、通話中も発光手段１６を点灯させて、一般電話回線網３経由の通話であることを明示する。
【００５４】
本実施形態によれば、デジタル通信網１５経由の通話である場合は無線子機１３の発光手段１７が点灯し、一般電話回線網３経由の通話である場合は発光手段１６が点灯するため、通話者は無線子機１３による通話に際しても容易にデジタル通信網１５経由の通話であることを確認することができる。他の効果は第１実施形態と同様で、同様の効果がある。また、本例の発光手段１６、１７は色が異なる方が視認性が高いが、同色でも良い。
【００５５】
なお、本発明は上記実施形態に限定されることなく、その要旨を逸脱しない範囲において、具体的な構成、機能、作用、効果において、他の種々の形態によっても実施することができる。例えば、上記実施形態では使用回線の種別をＬＥＤなどの発光手段により明示したが、無線子機２（または１３）の表示手段２１に使用回線の種別を文字表示するか、カラー液晶表示の場合は背景色を変えて使用回線の種別を明示することもできる。
【００５６】
また、上記実施形態ではデジタル通信網経由の場合は専用ボタン１０を押したが、専用ボタン１０を用いず、通話相手先の電話番号を入力する前に所定の番号または記号を入力することによりデジタル通信網経由である指示を通話装置親機１（または１９）に出しても良いし、逆に通話相手先の電話番号を入力する前に所定の番号または記号を入力することにより一般電話回線網経由である指示を通話装置親機１に出しても良い。また、一般電話回線網経由の時か、デジタル通信網経由の時のいずれに時に専用ボタン１０を押したり、或いは所定の番号または記号を入力する動作を行うかは、通話者により選択できるようにしても良い。
【００５７】
上述したように、本実施形態によれば、子機を使用して電話をかける際に使用する回線網の種別を指示すると共に、回線の種別が明示されるため、通話者がいずれの回線網を使用しているかを専用端末のところに出向かなくても直ちに知ることができ、通話装置の利便性を向上することができる。
【００５８】
また、親機は着信があると使用されている回線網の種別を子機に知らせ、子機はその種別を明示するので、通話者がいずれの回線網を使用しているかを専用端末のところに出向かなくても直ちに知ることができ、通話装置の利便性を向上することができる。
【００５９】
また、本実施形態によれば、発光手段の点灯、非点灯、あるいは発光手段の点灯色により、回線種別を直ちに知ることができる。
【００６０】
また、ＩＰパケットまたはＡＴＭのセルを使用することによって、所謂インターネット電話を実現することができる。また、専用の操作ボタンを用いることで、使用する回線種別の指示を簡単に行うことができる。
【００６１】
また、本実施形態によれば、親機に着信した電話を子機で受けた場合、オフフックする前に使用回線種別を知ることができると共に、通話中も使用回線種別を知ることができる。
【００６２】
【発明の効果】
以上説明したように本発明によれば、コードレス電話の子機を用いて通話を行う場合に、子機で使用回線種別が一般電話回線網経由かデジタル通信網経由かを明示することができ、通話の利便性を向上させることが可能な通話装置及び通話方法を提供できる。
【図面の簡単な説明】
【図１】本発明の第１実施形態に係る通話装置の構成例を示したブロック図である。
【図２】図１に示した通話装置を用いた場合の全体の通信システムを示した構成図である。
【図３】本発明の第２実施形態に係る通話装置の構成例を示したブロック図である。
【図４】図３に示した通話装置を用いた場合の全体の通信システムを示した構成図である。
【符号の説明】
１、１９　通話装置親機
２、１３　無線子機
３　一般電話回線網
４、１５　デジタル通信網
５　一般回線通信手段
６、１４　デジタル通信手段
７　音声送受信手段
８　無線子機呼出手段
９、１６、１７　発光手段
１０　専用ボタン
１１、１２、１８　電話端末
２０、２７　メインＣＰＵ
２１　表示手段
２２　呼出番号入力手段
２３　無線通信手段
２４　スピーカ
２５　マイク
２６　着信音鳴動手段
【図１】
2004032183.tif 000003
【図２】
2004032183.tif 000004
【図３】
2004032183.tif 000005
【図４】
2004032183.tif 000006